(57)【要約】【課題】ホッパの解放が容易であり、散布量調整部や散布部の点検等がやりやすく、シンプルな構造で軽量な肥料散布機を提供する。【解決手段】トラクタに装着して使用される肥料散布機１において、ホッパ側面部が第１保持部７と第２保持部８と第３保持部９の少なくとも３か所でメインフレーム２に保持されていて、第１保持部７は、トラクタ進行方向と平行の水平方向に設けた回動支点軸７０を備え、ホッパ３を保持して回動可能で、第２保持部８は相対して当接する当接部８０をメインフレーム２側とホッパ３側にそれぞれ接離可能に備え、第３保持部９はメインフレーム２側とホッパ３側にそれぞれ設けられた係合部が係合及び係合解除可能であるとともに、係合解除を阻止する固定手段９１を備えている肥料散布機による。【選択図】図４
2015208239.tif 000002
【特許請求の範囲】
【請求項１】
トラクタに連結可能に設けたメインフレームに、肥料を投入可能であるホッパと、ホッパ下方に設けられホッパ底部から落下させた肥料を拡散散布する散布部と、ホッパと散布部との間に設けられ肥料の落下量を調整する散布量調整部を設けた肥料散布機において、
前記ホッパは、ホッパ底端部が前記散布量調整部のホッパ側受皿に嵌合されているとともに、ホッパ側面部が第１保持部と第２保持部と第３保持部の少なくとも３か所で前記メインフレームに保持されていて、第１保持部は、トラクタ進行方向と平行の水平方向に設けた回動支点軸を備え、ホッパを保持して回動可能で、第２保持部は相対して当接する当接部をメインフレーム側とホッパ側にそれぞれ接離可能に備え、第３保持部はメインフレーム側とホッパ側にそれぞれ設けられた係合部が係合及び係合解除可能であるとともに、係合解除を阻止する固定手段を備えていることを特徴とした肥料散布機。
【請求項２】
第１保持部と第３保持部はホッパを挟んで相対する位置に設けられていて、ホッパは、第３保持部の固定手段を解除することにより第１保持部の回動支点軸を中心にトラクタ進行方向と直行する方向に回動可能であることを特徴とした請求項１に記載の肥料散布機。
【発明の詳細な説明】
【技術分野】
【０００１】
本発明は、化成肥料、有機肥料等の被散布物を貯留するホッパを備え、このホッパから落下させた被散布物を散布部によって拡散散布する肥料散布装置に関するもので、詳細には点検や残留肥料等の除去のためにホッパ部を解放するためのホッパ支持構造に関するものである。
【背景技術】
【０００２】
肥料を貯留するホッパを備え、ホッパの底部に肥料落下口及び肥料落下量調整を可能とする散布量調整部を設け、その下方に落下させた肥料を拡散散布させる散布部を有したトラクタ等の走行車に装着して使用される肥料散布機は、ホッパ下方部に位置する散布量調整部や散布部には、肥料等が付着して堆積する場合や、肥料の付着により腐食等が起こるため、作業都度或いは定期的に肥料の取り除きや洗浄等の点検等メンテナンスを行う必要がある。この場合、ホッパ底部が解放されると効率よく作業ができる。このため、従来より知られている技術として、例えば、実開昭５６−０１０３２４号公報（特許文献１）の「肥料散布機」の場合、ホッパを専用の工具を用いずに容易にホッパを取り外せる構造としたものが開示されている。また、実開昭５８−０５２９１７号公報（特許文献２）の「肥料散布機」や、特開２００８−２４５５９４号公報（特許文献３）の「肥料散布機のホッパの支持構造」では、ホッパを取り外さずに回動させてホッパ底部や散布量調整部の上面部を解放するように構成した肥料散布機が開示されている。
【先行技術文献】
【特許文献】
【０００３】
【特許文献１】実開昭５６−０１０３２４号公報
【特許文献２】実開昭５８−０５２９１７号公報
【特許文献３】特開２００８−２４５５９４号公報
【発明の概要】
【発明が解決しようとする課題】
【０００４】
特許文献１の「肥料散布機」は、肥料を貯留するホッパのフレームへの取付部が専用の工具を用いずに容易に取り外せる構造となっているが、取り外すにはホッパ部を持ち上げて取り外す必要があるため、重量が重いホッパの場合一人では容易に取り外しできない問題がある。
【０００５】
また、特許文献２の「肥料散布機」の場合、ホッパの背面にＵ型の金具を設け、この受け部である横部材をフレーム側に設けてホッパを反転自在とし、前面にホッパの反転を固定する止金具を設けている。ホッパの反転は容易に行えるが、ホッパの保持部が背面と前面の２カ所であり、肥料が投入されたときにホッパの膨らみ等を抑えて強度を保持するためには、ホッパの厚さをある程度厚くする必要があり、重量が重くなる問題がある。また、背面側に回動するため、保持するための横部材等をフレーム後方側に設ける必要があり、フレームの重量が重くなり製造コストも不利となる問題がある。さらに、背面側（進行方向後方側）にホッパが回動した状態となるため、散布量調整部や散布部の点検等を行う場合に、トラクタ側のフレームとホッパに挟まれた空間部において行わなければならず、容易に効率よく点検作業等を行うことができない問題がある。肥料散布機自体の重量が大きくなると、トラクタ等の走行車後方に装着して使用する場合、前輪側が軽くなり走行操舵に支障がでるため、ホッパに投入できる肥料の量も制限が出て効率よい作業が行えない問題がある。このため重量をできるだけ軽量に肥料散布機を構成する必要がある。
【０００６】
特許文献３の「肥料散布機のホッパ支持構造」の場合、ホッパを支持する支持部は散布状態側支持部と、これと離間した位置にありホッパが倒れた状態で支持される除去状態側支持部と、この間を案内する案内部を設けた構造となっている。第１形態の場合、ホッパを倒す動作に対して梃子の作用を与える支点部がホッパ下端部にあるため、切替時の案内部を移動させるときには比較的容易に切替が可能であるが、第２形態や第３形態の構成では梃子の作用を与える支点部が支持部７の部分にあり、案内部７Ｃ’を移動させるときはホッパを持ち上げる動作が必要であり、ホッパの重量を支えながら切替を行うこととなり、容易には切替を行えない問題がある。また、支持部７がホッパの左右方向の両側にあり、切替動作ごとに両側のロックハンドル８１や蝶螺子８Ｋを操作する必要があり、煩わしい動作が必要な問題がある。
【０００７】
本発明の目的は、ホッパの解放が容易であり、散布量調整部や散布部の点検等がやりやすく、シンプルな構造で軽量な肥料散布機を提供することにある。
【課題を解決するための手段】
【０００８】
前記課題を解決するために請求項1の発明は、トラクタに連結可能に設けたメインフレームに、肥料を投入可能であるホッパと、ホッパ下方に設けられホッパ底部から落下させた肥料を拡散散布する散布部と、ホッパと散布部との間に設けられ肥料の落下量を調整する散布量調整部を設けた肥料散布機において、前記ホッパは、ホッパ底端部が前記散布量調整部のホッパ側受皿に嵌合されているとともに、ホッパ側面部が第１保持部と第２保持部と第３保持部の少なくとも３か所で前記メインフレームに保持されていて、第１保持部は、トラクタ進行方向と平行の水平方向に設けた回動支点軸を備え、ホッパを保持して回動可能で、第２保持部は相対して当接する当接部をメインフレーム側とホッパ側にそれぞれ接離可能に備え、第３保持部はメインフレーム側とホッパ側にそれぞれ設けられた係合部が係合及び係合解除可能であるとともに、係合解除を阻止する固定手段を備えていることを特徴とした肥料散布機である。
【０００９】
また、請求項２の発明は、第１保持部と第３保持部はホッパを挟んで相対する位置に設けられていて、ホッパは、第３保持部の固定手段を解除することにより第１保持部の回動支点軸を中心にトラクタ進行方向と直行する方向に回動可能であることを特徴とした請求項１に記載の肥料散布機である。
【発明の効果】
【００１０】
本発明によれば、ホッパ側面部が第１保持部と第２保持部と第３保持部の少なくとも３か所でメインフレームに保持されていることにより、ホッパ内に投入された肥料の重量を十分に保持することが可能で、ホッパを軽量に構成できる。また、第３保持部の固定手段のみを解除することで第１保持部の回動支点軸を中心にトラクタ進行方向と直行する左右方向にホッパを回動可能である構成により、ホッパの解放が容易に行え、散布量調整部や散布部の点検等を行う場合に、側方や後方から行えるため容易に作業が行える。このような構成によってシンプルで軽量な肥料散布機が提供できる。
【図面の簡単な説明】
【００１１】
【図１】本発明の肥料散布機の右側面図である。
【図２】本発明の肥料散布機の断面した右側面図である。
【図３】本発明の肥料散布機の正面図である。
【図４】本発明の肥料散布機のホッパをトラクタ進行方向と直行する方向の側方に回動した状態の正面図である。
【図５】本発明の肥料散布機のホッパをトラクタ進行方向と直行する方向の側方に回動した状態の側面図である。
【発明を実施するための形態】
【００１２】
実施の一形態を、図１乃至図５に基づいて説明する。図１は、本発明の肥料散布機の右側面図である。肥料散布機１は、上方中央部に被散布物を貯留するホッパ３を備え、ホッパ３の底部開口から落下させた肥料等の被散布物をその下方部に位置させた散布部４により飛散散布させる。ホッパ３底部開口と散布部４との間には散布量調整部５が設けられ、散布部４に落下する被散布物の落下量を調節する構造となっている。これらはトラクタ（図示せず）に装着するための装着部を図1の左側前方部に設けたメインフレーム２により保持されている。装着部は、トラクタの後方に設けた装着用三点リンク（図示せず）に装着するため、トラクタロワリンク（図示せず）と連結する下方部左右に水平方向に突設するロワリンクピン２０と中央部上方に設けたトラクタトップリンク（図示せず）と連結するための左右水平方向のトップリンクピン孔２１を備えている。本例においては、図１の左側を前方部、右側を後方部という。
【００１３】
図２は、肥料散布機１の断面した右側面図である。ホッパ３は、下方が窄まった漏斗形状をなし、その上面は開口している。ホッパ３内には、被散布物としての肥料等が貯留される。ホッパ３の底部には、散布量調整部５が設けられ、散布量調整部５は複数の肥料落下口を設けたホッパ側受皿５０と、ホッパ側受皿５０下方面に当接するとともにホッパ３中心部を中心として水平周方向に摺動回動するシャッタ板５１が設けられている。シャッタ板５１は水平方向に摺動回動することでホッパ側受皿５０の肥料落下口と重合して開口度合いを変化させ被散布物の落下量を調整する開口調整孔を有し、メインフレーム２前方部に設けられトラクタ運転席より操作できるシャッタ作動部５２のシャッタレバー５２０の操作により調整可能に設けられている。シャッタ板５１は、下方面中央部に当接させて設けたシャッタボス５１０により、ホッパ側受皿５０とに挟持され回動自在に保持されている。
【００１４】
ホッパ側受皿５０は、ホッパ３側に凹部の解放側を向け上方端部に水平方向の鍔部を有した皿状となっていて、メインフレーム２側に鍔部の一端が固定されて保持されている。また、ホッパ３の下端部は、ホッパ側受皿５０の凹部立ち上がり部に嵌合できるように垂直方向の面を有したリング状部３２が形成されて挿入されている。ホッパ３の上部の漏斗状形状の斜面の延長部のみを当接させるより、垂直方向のリング状面を設けることにより、肥料のホッパ側受皿５０との接続部からの肥料の漏れが防止できる。
【００１５】
シャッタ作動部５２は、メインフレーム２に設けた進行方向と直行する水平方向のレバー回動支点軸を中心に前後に回動するシャッタレバー５２０と、シャッタレバー５２０の下方回動端とシャッタ板５１とを連結するシャッタロッド５２１と、シャッタレバー５２０の回動量に比例したシャッタ板５１のシャッタ開度目盛を設けシャッタレバー５２０をガイドするシャッタ開度目盛板５２２を備える。
【００１６】
シャッタレバー５２０は、側面視くの字状で中間屈折頂部近傍の回動支点孔がメインフレームに設けたレバー回動支点軸に嵌合されて前後に回動し、上方端部に作業者が操作する握り部を軸方向に出入可能に備え、下方回動端部にシャッタロッド５２１が回動自在に連結されている。シャッタロッド５２１の他方端はシャッタ板５１の外周部に設けた連結板に連結されている。シャッタレバー５２０の上端部が肥料散布機１の前方側に引き下げられると、シャッタロッド５２１が後方側に押され、シャッタ板５１がホッパ３中心部と同一に設けた駆動ケース６の出力軸６１回転中心を中心に回動する。これに伴い、シャッタ板５１の開口調整孔とホッパ側受皿５０の肥料落下口が重合して開口し肥料が落下される。レバー回動支点軸より上方の上方握り部下方には、前記シャッタ開度目盛板５２２がメインフレーム２に固着されて設けてあり、作業者はシャッタ開度目盛板５２２に設けたシャッタ開度目盛の回動位置でシャッタ板５１の回動位置及び開口量が確認できる。シャッタ作動部５２は、この実施例では手動からなるが、手動によらず電動モータ等により作動させる構成としてもよい。電動作動の駆動によって動かす技術は既知のものであり、その説明を省略する。
【００１７】
散布量調整部５下方には、散布部４が設けられていて、散布量調整部５から落下した肥料を水平回転する散布板４０により拡散散布する。散布板４０の上面には、回転軸芯に対し放射状に配置され垂設された散布羽根４１が複数設けられていて、落下した肥料等が飛散され遠心力により遠方まで散布される。また、散布板４０の前方側（図２の左側）と上面側は散布部カバー４２で覆われていて、後方側（図２の右側）に扇状に散布が行われる。
【００１８】
散布板４０は、その下方に位置して設けられた駆動ケース６の出力軸６１に散布板４０に固着した散布板ボス４００を介して取り付けられていて、駆動ケース６に走行車等から入力された動力で駆動される。駆動ケース６は、板金製のケースである駆動ケース本体６６に、トラクタ等の走行車への装着部側の前方を向いて一端を突設して設けた入力軸６０と、入力軸６０と直行して上方を向けて一端を突設した出力軸６１が設けられている。入力軸６０は、駆動ケース本体６６内において、内端部にベベルギヤ６３を平行キー６０３によって固着していて、直交する出力軸６１に同じく平行キー６０３によって固着されたベベルギヤ６３と噛合している。また、ベベルギヤ６３と隣接して設けた入力軸ベアリング６００とさらにスペーサー６０２を挟んで設けた入力軸ベアリング６００によって入力軸６０は回転自在に保持されていて、駆動ケース本体６６外側部はオイルシール６０１が設けられ密封されている。一方、出力軸６１は、下方端部を駆動ケース本体６６内の出力軸ベアリング６１０と、同じく上方部の前記ベベルギヤ６３と隣接して設けた出力軸ベアリング６１０とで回転自在に保持されている。出力軸６１の駆動ケース本体６６からの突設基部は防塵カバー６４によって被覆されている。
【００１９】
出力軸６１の突出部には、前記散布板４０の散布板ボス４００が取付けられ、さらに、散布板４０と散布部４を貫通した上方の端部にはホッパ３内に設けたアジテータ３１が連結される。アジテータ３１は、ホッパ３内の肥料等がホッパ側受皿５０の肥料落下口から流下しやすいようにホッパ側受皿５０に接近した位置で回転して肥料を撹拌移動させる。
【００２０】
駆動ケース本体６６は、全体が板金製で成型されていて、入力軸６０の回転軸芯を通る水平面で上下に分割されている。分割面にはそれぞれフランジ部６２が形成され、該フランジ部６２は上下に分割された駆動ケース本体６６を圧着させるための締結部材用孔と駆動ケース本体６６を肥料散布機１のメインフレーム２に固定するための固定用孔とを設けている。メインフレーム２の駆動ケース６の取付面は水平面を有した板金製で、駆動ケース本体６６のフランジ部６２から下方側へ突設した部分が干渉しないように切り欠かれた状態となっていて、下方側の駆動ケース本体６６のフランジ部６２の下方を向いた面が当接され、固定用孔とメインフレーム２側の孔とにボルトを挿通してナットで締め付けて固定される。
【００２１】
メインフレーム２の装着部によってトラクタに肥料散布機１を装着し、駆動ケース６の前方に突設した入力軸６０にユニバーサルジョイント（図示せず）を連結し、これの他端をトラクタ（図示せず）に設けられたＰＴＯ軸（図示せず）に連結することによりトラクタ等の走行機からの動力が入力可能となる。入力軸６０に入力されたトラクタからの回転動力は、入力軸６０に固着されたベベルギヤ６３を介して、直交して設けた出力軸６１に伝達され、出力軸６１に取付けられた散布板４０を回転駆動する。駆動ケース６全体は、入力軸６０前方部が解放された駆動ケースカバー６５によって覆われて回転部を保護している。メインフレーム２の左右側方下方部にはそれぞれスタンド２２が着脱可能に設けられていて、トラクタからの装着が外されたときに使用するもので、移動可能にキャスター輪が設けられている。
【００２２】
ホッパ３の下端部の垂直方向の面を有したリング状部３２は、ホッパ側受皿５０の凹部立ち上がり部に挿入されているとともに、ホッパ側面部が第１保持部７と第２保持部８と第３保持部９の３か所で前記メインフレーム２に保持されている。
【００２３】
図３は、本例の肥料散布機１の正面図を示したもので、トラクタへの装着側から見た状態の肥料散布機１の前方部を示している。第１保持部７は、図３に示すホッパ３左側側面部を保持していて、ホッパ３に固着して取り付けられたホッパ側ブラケット７１の下方部に設けた回動支点軸７０によりメインフレーム２に回動自在に連結されている。回動支点軸７０は、トラクタ進行方向と平行の水平方向に設けられていて、ホッパ３は回動支点軸７０を中心にトラクタ進行方向と直行する方向の側方に回動可能である。本例においては、略９０度角回動可能である。回動支点軸７０の位置は、ホッパ３下端部の前記リング状部３２がホッパ側受皿５０への挿入部がホッパ３回動とともに抜けれる位置に設ける。
【００２４】
第２保持部８は、ホッパ３前方側面部を保持していて、ホッパ３側に固着して取り付けられたホッパ側当接ブラケット８００に、図３の状態で下方を向く水平の平面部を設け、これと相対して当接する平面部をメインフレーム２に設け、当接部８０を構成してホッパ３及びホッパ３内に投入された肥料等の重量を支える。メインフレーム２側の当接面には上方に突設した丸棒状のガイドピン２３が設けられ、相対するホッパ側当接ブラケット８００の当接面にはガイドピン２３が嵌合できるガイド孔が設けられていて、ホッパ側当接ブラケット８００とメインフレーム２側が当接すると、ガイドピン２３がガイド孔に嵌合され前後左右の位置決めピンとして作用する。当接部８０は、本例のように平面部を形成せずに凹凸状に嵌合する等の互いに当接してホッパ３側の重量を支えれる形状であればよい。
【００２５】
第３保持部９は、図３に示すホッパ３右側側面部を保持していて、ホッパ３に固着して取り付けられたホッパ側係合ブラケット９００と、これと係合するメインフレーム２側に固着されたフレーム側係合ブラケット９０１と、これらの係合を固定又は解除する固定手段であるハンドル９１とで構成されている。ホッパ側係合ブラケット９００は、ホッパ３側面への取付部から下方に垂設した進行方向と平行の面を備え、この面には、図３に示すホッパ３外方向に向けた水平方向の係合ピン９０２が突設されていて、係合ピン９０２外周には、前記ハンドル９１のボス部に設けたネジ孔が螺合できるネジが設けてあり、ハンドル９１は係合ピン９０２に螺合され保持されている。フレーム側係合ブラケット９０１には係合ピン９０２が上方より挿入できるＵ型の係合ミゾ９０３が設けられていて、係合ピン９０２がＵ型の係合ミゾ９０３に挿入された状態でハンドル９１を回して締め付けると、ホッパ側係合ブラケット９００とフレーム側係合ブラケット９０１が締め付けられ係合が固着された状態となり、ホッパ３及びホッパ３内に投入された肥料等の重量を支える。
【００２６】
第３保持部９のハンドル９１の締め付けを緩めてホッパ側係合ブラケット９００の係合ピン９０２がフレーム側係合ブラケット９０１のＵ型の係合ミゾ９０３との係合を解除可能状態にすると、ホッパ３は第３保持部９とホッパ３を挟んで対向する位置の第1保持部７の回動支点軸７０を中心に第1保持部７側に回動可能となる。このように第３保持部９のハンドル９１を操作するのみでホッパ３の解放が容易に行える。また、ホッパ３が片側側方に回動した状態となるため、散布量調整部５や散布部４の点検等が側方や後方側から容易に行える。
【００２７】
本例の肥料散布機１で肥料を散布する場合は、トラクタの後方に設けた装着用三点リンク（図示せず）に装着部を連結して装着する。装着は、トラクタロワリンク（図示せず）と下方部左右に水平方向に突設するロワリンクピン２０と連結する。また、トラクタトップリンク（図示せず）と中央部上方に設けた左右水平方向のトップリンクピン孔２１にピンを挿入して連結する。トラクタの装着用三点リンクはトラクタに乗車した作業者がトラクタのレバーを操作して肥料散布機１を上下に昇降できる。肥料散布機１を装着後、トラクタＰＴＯ軸と肥料散布機１の駆動ケース６の入力軸６０とをユニバーサルジョイント（図示せず）等の動力伝達軸により連結して動力の取り出しを可能にする。
【００２８】
シャッタ作動部５２のシャッタレバー５２０を操作して、ホッパ側受皿５０の肥料落下口を閉じた後、ホッパ３の上方の解放部より肥料を投入する。
【００２９】
肥料の散布圃場にて、トラクタのＰＴＯ軸を回転させ散布部４を駆動する。トラクタの走行速度を決め、その速度時に所定の散布量が散布部４に落下するように、シャッタ開度目盛板５２２に合わせてシャッタ作動部５２のシャッタレバー５２０を前方に回動させ、ホッパ側受皿５０の肥料落下口を所定量開放する。解放と同時にトラクタを走行させ散布作業を行う。
【００３０】
散布作業終了後にホッパ３底部のホッパ側受皿５０や散布部４に付着や残留している肥料等を排除するため洗浄等を行う場合、第３保持部９のハンドル９１の締め付けを緩めて、第1保持部７側にホッパ３を回動させ倒すと、散布量調整部５や散布部４及びホッパ３底部が解放され作業が容易に行える。
【産業上の利用可能性】
【００３１】
本発明は、トラクタ等の走行車に装着されて使用される肥料散布機に適用できる。
【符号の説明】
【００３２】
１      肥料散布機
２      メインフレーム
２０    ロワリンクピン
２１    トップリンクピン孔
２２    スタンド
３      ホッパ
３１    アジテータ
３２    リング状部
４      散布部
４０    散布板
４００  散布板ボス
４１    散布羽根
４２    散布部カバー
５      散布量調整部
５０    ホッパ側受皿
５１    シャッタ板
５１０  シャッタボス
５２    シャッタ作動部
５２０  シャッタレバー
５２１  シャッタロッド
５２２  シャッタ開度目盛板
６      駆動ケース
６０    入力軸
６００    入力軸ベアリング
６０１    オイルシール
６０２    スペーサー
６０３    平行キー
６１    出力軸
６１０    出力軸ベアリング
６２    フランジ部
６３    ベベルギヤ
６４    防塵カバー
６５    駆動ケースカバー
６６    駆動ケース本体
７      第１保持部
７０    回動支点軸
７１    ホッパ側ブラケット
８      第２保持部
８０    当接部
８００    ホッパ側当接ブラケット
９      第３保持部
９０    係合部
９００    ホッパ側係合ブラケット
９０１    フレーム側係合ブラケット
９０２    係合ピン
９０３    係合ミゾ
９１    ハンドル（固定手段）
【図１】
2015208239.tif 000003
【図２】
2015208239.tif 000004
【図３】
2015208239.tif 000005
【図４】
2015208239.tif 000006
【図５】
2015208239.tif 000007